(57)【要約】【課題】リモコン操作を素早く快適に行うことができる送風装置を提供することを目的とする。【解決手段】リモコン１３は、送風機１２の遠隔操作をする際に無線信号を発信する第１発信部４４及び第２発信部４７を備え、第１発信部４４はリモコン１３の中心よりも一方の方向４２に設けられ、第２発信部４７はリモコン１３の中心よりも一方の方向４２の反対側に設けられ、送風機１２を遠隔操作する際に、リモコン１３が設置部４１に設置された状態で、第１発信部４４から受信部１８には直接的に無線信号が届かず、第２発信部４７から受信部１８には直接的に無線信号が届くという構成にしたことにより、設置部４１からリモコン１３を取り外した状態だけでなく、設置部４１にリモコン１３を取り付けた状態のままでも、リモコン１３で送風機１２の動作を操作できるようにした送風装置１１を得られる。【選択図】図５
2014125886.tif 000002
【特許請求の範囲】
【請求項１】
送風機と、前記送風機の動作を遠隔操作するリモコンとを備えた送風装置であって、
前記リモコンは、前記遠隔操作をする際に無線信号を発信する第１発信部及び第２発信部を備え、
前記送風機は、箱状の本体部と、前記本体部上に設けられたノズルユニットとを備え、
前記本体部は、箱体に空気を取り入れる吸込み口と、高圧空気を発生するための羽根車と羽根車を駆動するためのモータを備えた高圧空気発生手段と、前記リモコンの前記第１発信部又は前記第２発信部から発信された無線信号を受信する受信部とを備え、
前記ノズルユニットは、高圧空気を吹出す吹出し口と、前記高圧空気発生手段で発生した高圧空気を前記吹出し口に導く筒状のダクトと、上部に前記リモコンを着脱可能に設置する設置部とを備え、
前記第１発信部は前記リモコンの中心よりも一方の方向に設けられ、前記一方の方向に無線信号を発信し、
前記第２発信部は前記リモコンの中心よりも前記一方の方向の反対側に設けられ、前記リモコンが前記設置部に設置された状態で無線信号を前記受信部に向かって発信し、
前記送風機を遠隔操作する際に、前記リモコンが前記設置部に設置された状態で、前記第１発信部から前記受信部には直接的に無線信号が届かず、前記第２発信部から前記受信部には直接的に無線信号が届くことを特徴とする送風装置。
【請求項２】
前記受信部は、前記ノズルユニットが設けられる部分を避けた前記本体部の表面であって、前記吹出し口の前側に設けられ、
前記リモコンが前記設置部に設置された状態で、前記一方の方向の前記反対側に前記吹出し口から高圧空気が吹出すことを特徴とする請求項１に記載の送風装置。
【請求項３】
前記第２発信部は、前記一方の方向と正反対の方向に設けられることを特徴とする請求項２に記載の送風装置。
【請求項４】
前記リモコンが前記設置部に設置された状態で、前記リモコンの中心から前記第２発信部への方向に前記吹出し口から高圧空気が吹出すことを特徴とする請求項２又は３に記載の送風装置。
【請求項５】
前記リモコンが前記設置部に設置された状態で、前記一方の方向と正反対の方向に前記吹出し口から高圧空気が吹出すことを特徴とする請求項２〜４の何れか１項に記載の送風装置。
【請求項６】
前記リモコンは前記遠隔操作のためのボタンを上面に備え、
前記リモコンの上面において、前記第１発信部がある前記一方の方向と垂直な方向に中心線を引いた場合、前記ボタンは、前記リモコンの前記上面の中心部分に設けられるか、又は前記中心線よりも前記第１発信部がある側に設けられ、
前記ボタンは、前記中心部分を除いて、前記中心線よりも前記第２発信部がある側には設けられないことを特徴とする請求項２〜５の何れか１項に記載の送風装置。
【請求項７】
前記ノズルユニットは、前記設置部に設置された前記リモコンの前記第２発信部の１部と前記本体部の前記受信部の１部とを結ぶ直線上に、スリットを備えたことを特徴とする請求項１〜６の何れか１項に記載の送風装置。
【請求項８】
前記受信部は、前記ノズルユニットが設けられる部分を避けた前記本体部の表面であって、前記吹出し口の前側に設けられ、
前記スリットは、前記吹出し口の前側に設けられることを特徴とする請求項７に記載の送風装置。
【請求項９】
前記吹出し口は、前記直線を含む平面上に設けられることを特徴とする請求項８に記載の送風装置。
【請求項１０】
前記ノズルユニットはタワー状であり、
前記リモコンが前記設置部に設置された状態で、前記リモコンの水平断面の外形の中で最も大きい外形は、前記ノズルユニットの最上面の水平断面の外形と同じであり、
前記第２発信部は、前記リモコンが前記設置部に設置された状態で、前記ノズルユニットの最上面の水平断面の外形よりも内側に設けられることを特徴とする請求項７〜９の何れか１項に記載の送風装置。
【請求項１１】
前記ノズルユニットは円筒形のタワー状であることを特徴とする請求項１０に記載の送風装置。
【請求項１２】
前記第２発信部は、前記リモコンの縁部近傍の下面に設けられ、前記設置部に前記リモコンが設置された状態で前記吹出し口の鉛直上方に存在することを特徴とする請求項１０又は１１に記載の送風装置。
【請求項１３】
前記リモコン及び／又は前記設置部は、前記リモコンを前記設置部に設置する際に、前記第２発信部から発信される無線信号が前記スリットを通るように位置決めする位置決め手段を備えることを特徴とする請求項７〜１２の何れか１項に記載の送風装置。
【請求項１４】
前記設置部には第１段差部が設けられ、
前記リモコンの下部又は下面には前記第１段差部に嵌まる第２段差部が設けられ、
前記第１段差部と前記第２段差部は前記位置決め手段を構成することを特徴とする請求項１３に記載の送風装置。
【請求項１５】
前記本体部は、首振り用モータと前記首振り用モータに接続された歯車とを有する非回転部と、前記非回転部上に設けられた回転部とからなり、
前記回転部は、前記首振り用モータの動力によって、首振り回転するように前記歯車と接続され、
前記受信部は、前記回転部に設けられることを特徴とする請求項１〜１４の何れか１項に記載の送風装置。
【請求項１６】
前記無線信号は赤外線信号又は可視光信号であることを特徴とする請求項１〜１５の何れか１項に記載の送風装置。
【請求項１７】
前記ノズルユニットは高圧空気を気流として吹出す流体素子ノズル部を備え、
前記ダクトは前記高圧空気発生手段で発生した高圧空気を前記流体素子ノズル部に導き、
前記流体素子ノズル部は、気流の流入する流入口と、外部に向けて拡大する前記吹出し口と、前記流入口から前記吹出し口を連通する素子主流路と、前記素子主流路の長辺側の片面から分岐して反対側の前記素子主流路の長辺側の面に連通する循環風路を備え、
前記流入口と前記吹出し口と前記素子主流路の、気流の流れに対し垂直方向の断面は略長方形とし、前記吹出し口から吹出す気流を前記素子主流路の短辺方向に振動させるものであることを特徴とする請求項１〜１６の何れか１項に記載の送風装置。
【発明の詳細な説明】
【技術分野】
【０００１】
本発明は、居室内の天井や壁、床面に設置され、直接気流による体感温度の減少や室内の空気の循環に使用される扇風機や天井扇などの送風装置に関するものである。
【背景技術】
【０００２】
従来、この種の送風装置は、羽根車とモータを台座となる基部に内包して、基部上部に備えられた環状形状のノズルから床面と水平方向に吹出すようにて空気の循環及び空気の流れを生じさせる家庭用送風装置であって、リモコンを取り付けるための磁石がノズル内部に設けられたものが知られている（例えば、特許文献１参照）。
【０００３】
この送風装置は、特許文献１にあるように、環状形状のノズル上部の内部に磁石が設けられ、ノズルの上に、磁石の力によって引き付けられたリモコンが取り付けられている。
【先行技術文献】
【特許文献】
【０００４】
【特許文献１】特開２０１１−０９９４４５号公報（第１８図）
【発明の概要】
【発明が解決しようとする課題】
【０００５】
このような従来の送風装置においては、ノズル上部に磁石によるリモコン設置部を設ける構成により、送風機の外観をある程度損なわずに、リモコンの設置部をノズルに設けることはできた。
【０００６】
しかし、リモコンの操作者にとっては、リモコンの設置部に設置されたリモコンを操作するには、リモコン設置部からリモコンを取り外さなくてはならず、リモコンの操作が不便であるという課題を有していた。
【０００７】
そこで本発明は、上記従来の課題を解決するものであり、送風機のノズルユニットに設けられた設置部からリモコンを取り外した状態だけでなく、設置部にリモコンを取り付けた状態のままでも、リモコンで送風機の動作を操作できるようにすることで、リモコン操作を素早く快適に行うことができる送風装置を提供することを目的とする。
【課題を解決するための手段】
【０００８】
そして、この目的を達成するために、本発明は、送風機と、前記送風機の動作を遠隔操作するリモコンとを備えた送風装置であって、前記リモコンは、前記遠隔操作をする際に無線信号を発信する第１発信部及び第２発信部を備え、前記送風機は、箱状の本体部と、前記本体部上に設けられたノズルユニットとを備え、前記本体部は、箱体に空気を取り入れる吸込み口と、高圧空気を発生するための羽根車と羽根車を駆動するためのモータを備えた高圧空気発生手段と、前記リモコンの前記第１発信部又は前記第２発信部から発信された無線信号を受信する受信部とを備え、前記ノズルユニットは、高圧空気を吹出す吹出し口と、前記高圧空気発生手段で発生した高圧空気を前記吹出し口に導く筒状のダクトと、上部に前記リモコンを着脱可能に設置する設置部とを備え、前記第１発信部は前記リモコンの中心よりも一方の方向に設けられ、前記一方の方向に無線信号を発信し、前記第２発信部は前記リモコンの中心よりも前記一方の方向の反対側に設けられ、前記リモコンが前記設置部に設置された状態で無線信号を前記受信部に向かって発信し、前記送風機を遠隔操作する際に、前記リモコンが前記設置部に設置された状態で、前記第１発信部から前記受信部には直接的に無線信号が届かず、前記第２発信部から前記受信部には直接的に無線信号が届くことを特徴とする送風装置としたものであり、これにより所期の目的を達成するものである。
【発明の効果】
【０００９】
本発明によれば、送風機と、前記送風機の動作を遠隔操作するリモコンとを備えた送風装置であって、前記リモコンは、前記遠隔操作をする際に無線信号を発信する第１発信部及び第２発信部を備え、前記送風機は、箱状の本体部と、前記本体部上に設けられたノズルユニットとを備え、前記本体部は、箱体に空気を取り入れる吸込み口と、高圧空気を発生するための羽根車と羽根車を駆動するためのモータを備えた高圧空気発生手段と、前記リモコンの前記第１発信部又は前記第２発信部から発信された無線信号を受信する受信部とを備え、前記ノズルユニットは、高圧空気を吹出す吹出し口と、前記高圧空気発生手段で発生した高圧空気を前記吹出し口に導く筒状のダクトと、上部に前記リモコンを着脱可能に設置する設置部とを備え、前記第１発信部は前記リモコンの中心よりも一方の方向に設けられ、前記一方の方向に無線信号を発信し、前記第２発信部は前記リモコンの中心よりも前記一方の方向の反対側に設けられ、前記リモコンが前記設置部に設置された状態で無線信号を前記受信部に向かって発信し、前記送風機を遠隔操作する際に、前記リモコンが前記設置部に設置された状態で、前記第１発信部から前記受信部には直接的に無線信号が届かず、前記第２発信部から前記受信部には直接的に無線信号が届くことを特徴とする送風装置としたことにより、ノズルユニット上部に設けられたリモコンの設置部にリモコンを設置した状態でリモコンの第２発信部から発信された無線信号は受信部で直接受信されることになるので、送風機のノズルユニット上部に設けられた設置部からリモコンを取り外した状態だけでなく、設置部にリモコンを取り付けた状態のままでも、リモコンで送風機の動作を操作でき、操作者は送風機の操作を素早く快適に行うことができるという効果を得ることができる。
【図面の簡単な説明】
【００１０】
【図１】本発明の実施の形態１の送風装置を示す斜視図
【図２】本発明の実施の形態１の送風装置の鉛直断面を示す断面図
【図３】本発明の実施の形態１の送風装置のノズルユニットの水平断面を示す断面図
【図４】本発明の実施の形態１の送風装置のリモコンとノズルユニットを示す斜視図
【図５】本発明の実施の形態１の送風装置のリモコンとノズルユニットの鉛直断面を示す断面図
【図６】本発明の実施の形態１の送風装置の送風機の本体部の鉛直断面を示す断面図
【図７】本発明の実施の形態１の送風装置の制御を示すブロック図
【図８】本発明の実施の形態１の送風装置のリモコン制御を示すブロック図
【発明を実施するための形態】
【００１１】
本発明の請求項１に記載の送風装置は、送風機と、前記送風機の動作を遠隔操作するリモコンとを備えた送風装置であって、前記リモコンは、前記遠隔操作をする際に無線信号を発信する第１発信部及び第２発信部を備え、前記送風機は、箱状の本体部と、前記本体部上に設けられたノズルユニットとを備え、前記本体部は、箱体に空気を取り入れる吸込み口と、高圧空気を発生するための羽根車と羽根車を駆動するためのモータを備えた高圧空気発生手段と、前記リモコンの前記第１発信部又は前記第２発信部から発信された無線信号を受信する受信部とを備え、前記ノズルユニットは、高圧空気を吹出す吹出し口と、前記高圧空気発生手段で発生した高圧空気を前記吹出し口に導く筒状のダクトと、上部に前記リモコンを着脱可能に設置する設置部とを備え、前記第１発信部は前記リモコンの中心よりも一方の方向に設けられ、前記一方の方向に無線信号を発信し、前記第２発信部は前記リモコンの中心よりも前記一方の方向の反対側に設けられ、前記リモコンが前記設置部に設置された状態で無線信号を前記受信部に向かって発信し、前記送風機を遠隔操作する際に、前記リモコンが前記設置部に設置された状態で、前記第１発信部から前記受信部には直接的に無線信号が届かず、前記第２発信部から前記受信部には直接的に無線信号が届くことを特徴とするものである。
【００１２】
この構成によれば、ノズルユニット上部に設けられたリモコンの設置部にリモコンを設置した状態で、リモコンの第２発信部から発信された無線信号は受信部で直接受信されることになる。
【００１３】
従って、設置部からリモコンを取り外した状態だけでなく、設置部にリモコンを取り付けた状態のままでも、リモコンで送風機の動作を操作できる。
【００１４】
このため、操作者は設置部に一度取り付けたリモコンをわざわざ取り外すことなく、その状態のままで、送風機の遠隔操作を行うことができる。
【００１５】
このように、設置部に取り付けられたリモコンを操作する際に、リモコンを設置部から取り外すという工程を省略することができるため、操作者は、送風機の操作を素早く快適に行うことができる。
【００１６】
本発明の請求項２に記載の送風装置は、前記受信部は、前記ノズルユニットが設けられる部分を避けた前記本体部の表面であって、前記吹出し口の前側に設けられ、前記リモコンが前記設置部に設置された状態で、前記一方の方向の前記反対側に前記吹出し口から高圧空気が吹出すことを特徴とするものである。
【００１７】
この構成によれば、第２発信部がリモコンの中心よりも一方の方向（第１発信部が設けられる方向）の反対側に設けられることに加えて、受信部が吹出し口の前側に設けられ、リモコンが設置部に設置された状態で、一方の方向（第１発信部が設けられる方向）の反対側に吹出し口から高圧空気が吹出すこととなるため、操作者が吹出し口の前で設置部に設置されたリモコンを取り外して、リモコンを手に取ったとき、リモコンの第１発信部から発信される無線信号の方向が受信部側を向くことになる。このため、操作者はリモコンを大きく持ち替える必要がなくなり、快適にリモコン操作することができる。
【００１８】
また、操作者が吹出し口の前で設置部に設置されたリモコンを取り外して、リモコンを手に取ったとき、リモコンの第１発信部から発信される無線信号の方向が受信部側を向くことになるため、操作者が吹出し口の前でリモコン操作する際、設置部にリモコンを設置しているときも、設置していないときも、同じ受信部でリモコンから発信される無線信号を受信することができる。従って、設置部にリモコンを設置した状態で無線信号を受信できる受信部を新たに別途設ける必要がないため、本体をコンパクトにすることができる。更に、受信部が消費する電力を低減でき、省エネとすることができる。
【００１９】
本発明の請求項３に記載の送風装置は、前記第２発信部は、前記一方の方向と正反対の方向に設けられることを特徴とするものである。
【００２０】
この構成によれば、さらに操作者が快適にリモコン操作することができる。
【００２１】
本発明の請求項４に記載の送風装置は、前記リモコンが前記設置部に設置された状態で、前記リモコンの中心から前記第２発信部への方向に前記吹出し口から高圧空気が吹出すことを特徴とするものである。
【００２２】
この構成によれば、さらに操作者が快適にリモコン操作することができる。
【００２３】
本発明の請求項５に記載の送風装置は、前記リモコンが前記設置部に設置された状態で、前記一方の方向と正反対の方向に前記吹出し口から高圧空気が吹出すことを特徴とするものである。
【００２４】
この構成によれば、さらに操作者が快適にリモコン操作することができる。
【００２５】
本発明の請求項６に記載の送風装置は、前記リモコンは前記遠隔操作のためのボタンを上面に備え、前記リモコンの上面において、前記第１発信部がある前記一方の方向と垂直な方向に中心線を引いた場合、前記ボタンは、前記リモコンの前記上面の中心部分に設けられるか、又は前記中心線よりも前記第１発信部がある側に設けられ、前記ボタンは、前記中心部分を除いて、前記中心線よりも前記第２発信部がある側には設けられないことを特徴とするものである。
【００２６】
この構成によれば、前記吹出し口の前で操作者が設置部に設置されたリモコンを取り外して、リモコンを手に取ったとき、指とリモコンのボタンの位置が互いに近い状態となる。
【００２７】
このため、操作者は設置部からリモコンを取り外して操作する際に、リモコンを大きく持ち替える必要がなくなり、快適にリモコン操作することができる。
【００２８】
本発明の請求項７に記載の送風装置は、前記ノズルユニットは、前記設置部に設置された前記リモコンの前記第２発信部の１部と前記本体部の前記受信部の１部とを結ぶ直線上に、スリットを備えたことを特徴とするものである。
【００２９】
この構成によれば、リモコンの第２発信部の１部と本体部の受信部の１部とを結ぶ直線上にスリットを備えているので、ノズルユニット上部に設けられたリモコンの設置部にリモコンを設置した状態で、リモコンの第２発信部から発信された無線信号は受信部で確実に直接受信されることになる。
【００３０】
本発明の請求項８に記載の送風装置は、前記受信部は、前記ノズルユニットが設けられる部分を避けた前記本体部の表面であって、前記吹出し口の前側に設けられ、前記スリットは、前記吹出し口の前側に設けられることを特徴とするものである。
【００３１】
この構成によれば、スリット及び受信部が吹出し口の前側に設けられるため、操作者が吹出し口の前でリモコン操作する際、設置部にリモコンを設置しているときも、設置していないときも、同じ受信部でリモコンから発信される無線信号を受信することができる。
【００３２】
従って、設置部にリモコンを設置した状態で無線信号を受信できる受信部を新たに別途設ける必要がないため、本体をコンパクトにすることができる。更に、受信部が消費する電力を低減でき、省エネとすることができる。
【００３３】
また、通常、送風機の動作を操作する操作者は、吹出し口の前方側からリモコンにより送風機の遠隔操作を行うが、スリットが吹出し口の前側に設けられるため、操作者にとって風が出てくる吹出し口がどこなのか、スリットを目印にして見つけやすくなる。
【００３４】
本発明の請求項９に記載の送風装置は、前記吹出し口は、前記直線を含む平面上に設けられることを特徴とするものである。
【００３５】
この構成によれば、スリットと吹出し口が同一平面状で重なるため、スリットの加工と吹出し口の加工が行いやすくなる。
【００３６】
また、通常、送風機の動作を操作する操作者は、吹出し口の前方側からリモコンにより送風機の遠隔操作を行うが、スリットと吹出し口が同一平面状で重なるため、操作者にとって風が出てくる吹出し口がどこなのか、スリットを目印にしてさらに見つけやすくなる。
【００３７】
特に、吹出し口の形状が棒状であり、細長くて目立ちにくい場合は、スリットによって吹出し口が目立つようになり、有効である。
【００３８】
本発明の請求項１０に記載の送風装置は、前記ノズルユニットはタワー状であり、前記リモコンが前記設置部に設置された状態で、前記リモコンの水平断面の外形の中で最も大きい外形は、前記ノズルユニットの最上面の水平断面の外形と同じであり、前記第２発信部は、前記リモコンが前記設置部に設置された状態で、前記ノズルユニットの最上面の水平断面の外形よりも内側に設けられることを特徴とするものである。
【００３９】
この構成によれば、リモコンの水平断面の外形の中で最も大きい外形がノズルユニットの最上面の水平断面の外形よりも大きくないため、設置部にリモコンを安定して設置できる。また、デザイン性が損なわれることも少ない。
【００４０】
さらに、この構成によれば、リモコンの水平断面の外形の中で最も大きい外形がノズルユニットの最上面の水平断面の外形よりも小さくないため、設置部におけるリモコンの脱着を容易に行うことができる。
【００４１】
また、受信部で無線信号を直接受信するためのスリットを設けているので、設置部にリモコンを設置した状態で、第２発信部から受信部に無線信号が直接届くように、わざわざ第２発信部をノズルユニットの最上面の水平断面の外形よりも外側にする必要がない。
【００４２】
本発明の請求項１１に記載の送風装置は、前記ノズルユニットは円筒形のタワー状であることを特徴とするものである。
【００４３】
この構成によれば、リモコンをさらに安定して設置部に設置できるようになる。
【００４４】
本発明の請求項１２に記載の送風装置は、前記第２発信部は、前記リモコンの縁部近傍の下面に設けられ、前記設置部に前記リモコンが設置された状態で前記吹出し口の鉛直上方に存在することを特徴とするものである。
【００４５】
この構成によれば、スリットの深さを深くすることがないため、ノズルユニット表面の拭き掃除がしやすくなる等、メンテナンス性を良くすることができる。
【００４６】
本発明の請求項１３に記載の送風装置は、前記リモコン及び／又は前記設置部は、前記リモコンを前記設置部に設置する際に、前記第２発信部から発信される無線信号が前記スリットを通るように位置決めする位置決め手段を備えることを特徴とするものである。
【００４７】
この構成によれば、位置決め手段があるために、所定の位置及び角度以外では、リモコン設置部にリモコンを設置できなくなる。言い換えれば、所定の位置及び角度にリモコンをリモコン設置部上に設置してはじめて正しくリモコンが設置されることになる。
【００４８】
このため、操作者がリモコンをリモコン設置部上に正しい位置で確実に設置できるようになる。
【００４９】
本発明の請求項１４に記載の送風装置は、前記設置部には第１段差部が設けられ、前記リモコンの下部又は下面には前記第１段差部に嵌まる第２段差部が設けられ、前記第１段差部と前記第２段差部は前記位置決め手段を構成することを特徴とするものである。
【００５０】
この構成によれば、第１段差及び第２段差があるために、所定の位置及び角度以外では、リモコン設置部にリモコンを設置できなくなる。言い換えれば、所定の位置及び角度にリモコンをリモコン設置部上に設置してはじめて正しくリモコンが設置されることになる。
【００５１】
このため、操作者がリモコンをリモコン設置部上に正しい位置で確実に設置できるようになる。
【００５２】
また、前記第１段差部と前記第２段差部が嵌合することにより、前記設置部上で前記リモコンが回転等する動きが抑制され、安定して固定される。このため、リモコンを設置した状態で、遠隔操作するとき、リモコンが不要に回転等することなく、ボタンが押しやすく操作しやすい。
【００５３】
更に、前記第１段差部と前記第２段差部が勘合することにより、外部から衝撃が加わった場合や、前記ノズルユニットを傾斜させた場合に前記設置部から前記リモコンが容易に脱落しにくくなり、使い勝手が良い。
【００５４】
本発明の請求項１５に記載の送風装置は、前記本体部は、首振り用モータと前記首振り用モータに接続された歯車とを有する非回転部と、前記非回転部上に設けられた回転部とからなり、前記回転部は、前記首振り用モータの動力によって、首振り回転するように前記歯車と接続され、前記受信部は、前記回転部に設けられることを特徴とするものである。
【００５５】
この構成によれば、リモコンが設置部に設置された状態で、送風機が首振り動作しても、第２発信部から受信部に直接的に無線信号が届く関係を維持することができる。
【００５６】
本発明の請求項１６に記載の送風装置は、前記無線信号は赤外線信号又は可視光信号であることを特徴とするものである。
【００５７】
赤外線又は可視光は指向性が高い電磁波であるため、障害物による影響を受けやすい。このため、赤外線又は可視光は直接的に受信部に届くようにする効果が特に高い。
【００５８】
本発明の請求項１７に記載の送風装置は、前記ノズルユニットは高圧空気を気流として吹出す流体素子ノズル部を備え、前記ダクトは前記高圧空気発生手段で発生した高圧空気を前記流体素子ノズル部に導き、前記流体素子ノズル部は、気流の流入する流入口と、外部に向けて拡大する前記吹出し口と、前記流入口から前記吹出し口を連通する素子主流路と、前記素子主流路の長辺側の片面から分岐して反対側の前記素子主流路の長辺側の面に連通する循環風路を備え、前記流入口と前記吹出し口と前記素子主流路の、気流の流れに対し垂直方向の断面は略長方形とし、前記吹出し口から吹出す気流を前記素子主流路の短辺方向に振動させるものであることを特徴とするものである。
【００５９】
この構成によれば、気流を流体素子ノズル部により素子主流路の短辺方向に振動させることができるため、少ないエネルギーで風速の大きい気流を広範囲に送ることができる。
【００６０】
以下、本発明の実施の形態について図面を参照しながら説明する。
【００６１】
（実施の形態１）
図１に示すように、送風装置１１は、送風機１２と送風機１２の動作を遠隔操作するリモコン１３（遠隔操作機器）で構成され、送風機１２は、箱状の本体部１４と本体部１４上に設けられたノズルユニット１５で構成されるものである。
【００６２】
本体部１４は空気を取り入れる吸込み口１６を備え、ノズルユニット１５は吸込み口１６から取り入れた空気を吹出す吹出し口１７を備えている。
【００６３】
本体部１４の表面には、吹出し口１７の前側に受信部１８が設けられており、受信部１８でリモコン１３から発信される無線信号（赤外線、可視光、電波などの信号）を受信することによって、送風機１２の動作（風量、首振り、タイマー、電源など）が遠隔操作される。ここで、吹出し口１７の前側とは吹出し口１７を基点として、吹出し口１７から吹出される空気が流れる側とする。また、受信部１８とは、本体部１４における無線信号の入り口部分のことをいう。
【００６４】
本体部１４は、本体操作部１９を備えていてもよく、本体操作部１９を操作者が押すことによっても送風機１２の動作を操作できる。
【００６５】
図２は、送風装置１１の鉛直断面図である。図２に示すように、本体部１４は、箱体に空気を取り入れる吸込み口１６と、高圧空気を発生するための羽根車２２と羽根車を駆動するためのモータ２３を備えた高圧空気発生手段２４を備えており、ノズルユニット１５は、高圧空気を吹出す吹出し口１７と、高圧空気発生手段２４で発生した高圧空気を吹出し口１７に導く筒状のダクト２１を備えている。ここで、高圧空気とは大気圧以上のことを示すものとする。
【００６６】
図３は、ノズルユニット１５の水平断面図である。図３に示すように、ノズルユニット１５は高圧空気を気流３７として吹出す流体素子ノズル部３１と、高圧空気発生手段２４と流体素子ノズル部３１を連通する筒状のダクト２１とで構成される。
【００６７】
流体素子ノズル部３１は、気流の流入する流入口３２と、外部に向けて拡大する吹出し口１７と、流入口３２から吹出し口１７を連通する素子主流路３３とを、それぞれ気流３７の流れに対し垂直方向の断面が略長方形に備え、素子主流路３３の長辺側の片面から分岐して反対側の素子主流路３３の長辺側の面に連通する循環風路３４とを備えて、吹出し口１７から吹出す気流３７を素子主流路３３の短辺方向である矢印方向に振動させるものである。
【００６８】
ノズルユニット１５は、素子主流路３３及び流入口３２及びダクト２１の素子主流路３３の長辺方向の面のみを形成する内壁３５と、吹出し口１７及び外郭の素子主流路３３の長辺方向の面のみを形成する外壁３６を備えて、内壁３５と外壁３６の間に循環風路３４を形成する２重構造で構成している。
【００６９】
吹出し口１７の拡大角としては２０度から４５度程度が気流３７の発振が安定して得られるため望ましく、循環風路３４の長さとしては１００ｍｍから１０００ｍｍ程度が気流３７の発振が体感できる周波数となるため望ましい。また流体素子ノズル部３１を構成する材質としてＰＰやＡＢＳなど既知の樹脂や金属などで構成することができる。
【００７０】
図４は、リモコン１３がノズルユニット１５上部に設けられた設置部４１に設置される直前の状態を示す斜視図であり、図５は、その鉛直方向の断面図である。なお、設置部４１にはリモコン１３を着脱可能に設置することができる。また、図１は、リモコン１３が設置部４１に設置された状態となっている。
【００７１】
図４、図５に示すように、送風機１２の動作を遠隔操作するリモコン１３は、その中心から一方の方向４２に設けられ、一方の方向４２に第１無線信号４３を発信する第１発信部４４と、リモコン１３の中心よりも一方の方向４２の反対側（中心線５７よりも一方の方向４２と反対側）に設けられ、リモコン１３が設置部４１に設置された状態で受信部の方向４５に第２無線信号４６を発信する第２発信部４７を備えている。
【００７２】
リモコン１３は、上面にボタン４８を備え、内部に電池５８から電源供給される制御基板４９を備えている。ボタン４８が押されることによって、制御基板４９に接続された第１発信源５０から第１無線信号４３が出力され、制御基板４９に接続された第２発信源５１から第２無線信号４６が出力される。第１発信源５０から出力された第１無線信号４３は、そのままの方向（一方の方向４２）で第１発信部４４から発信され、第２発信源５１から出力された第２無線信号４６は反射板５２で反射され、第２発信部４７から受信部１８への受信部の方向４５に発信される。なお、第１無線信号４３及び／又は第２無線信号４６が赤外線信号の場合は、円錐状に発信され、赤外線の発信方向と平行な平面において２０°〜４０°の角度の広がりを持つ。
【００７３】
ここで、発信部とは、無線信号がリモコン１３から発信される出口部分のことを指す。無線信号の発信源がその出口部分にあれば、発信源と発信部は同じ部分となるが、発信源と出口部分が離れている場合は、発信源と発信部は異なる部分となる。
【００７４】
ここで、リモコン１３のボタン４８は、指で押して機械類を作動させるための小さい突起物だけでなく、電子機器の画面上で、ある特定の命令や処理を選択したり、実行させる時に押す領域を含む。
【００７５】
ノズルユニット１５は、設置部４１に設置された状態で、リモコン１３の第２発信部４７の１部と本体部１４の受信部１８の１部とを結ぶ直線上に、スリット５３を備えているため、第２発信部４７から受信部１８に直接的に第２無線信号４６が届くようになっている。
【００７６】
このため、設置部４１からリモコン１３を取り外した状態だけでなく、設置部４１にリモコン１３を取り付けた状態のままでも、リモコン１３で送風機１２の動作を操作できる。
【００７７】
なお、リモコン１３が設置部４１に設置された状態で第２発信部４７から受信部１８に直接的に第２無線信号４６が届くように、スリット５３は、ノズルユニット１５の上部だけに設けられていても良いし、必要に応じて隣り合う吹出し口１７の間に設けられていても良いし、吹出し口１７が設けられている部分と離れた部分に設けられていても良い。
【００７８】
ここで、無線信号とは、赤外線、可視光、又は電波などの電磁波の無線信号である。無線信号が指向性の高く障害物の影響を受けやすい赤外線や可視光であれば、設置部４１にリモコン１３を設置した状態で、直接的に無線信号を受信部１８に届けるようにする構成は特に有効である。
【００７９】
ここで、直接的に無線信号が届くとは、発信部と受信部とを結ぶ直線において、障害物がなく、無線信号がほとんど減衰せずに、発信部から受信部に届くことをいう。障害物には空気や無線信号に影響をほとんど与えない物体などは含まない。従って、例えば、指向性の高い赤外線信号又は可視光信号を通過させるためにスリット５３を設け、赤外線信号又は可視光信号にほとんど影響を与えない材料をそのスリット５３に充填した場合であっても、赤外線信号又は可視光信号は発信部から受信部に直接届くという概念に含まれる。ただし、無線信号にあまり影響を与えない材料であっても、設置部にリモコンを設置した状態で、発信部と受信部の間には何も材料がないことが好ましい。
【００８０】
第２発信部４７がリモコン１３の中心よりも一方の方向４２（第１発信部４４が設けられる方向）の反対側に設けられることに加えて、受信部１８が吹出し口１７の前側に設けられ、リモコン１３が設置部４１に設置された状態で、一方の方向４２の反対側に吹出し口１７から高圧空気が吹出すことが好ましい。この構成によれば、操作者が吹出し口１７の前で設置部に設置されたリモコン１３を取り外して、リモコン１３を手に取ったとき、リモコン１３の第１発信部４４から発信される第１無線信号４３の方向が受信部１８側を向くことになる。このため、操作者はリモコン１３を大きく持ち替える必要がなくなり、快適にリモコン操作することができる。
【００８１】
また、操作者が吹出し口の前で設置部４１に設置されたリモコン１３を取り外して、リモコン１３を手に取ったとき、リモコン１３の第１発信部４４から発信される第１無線信号４３の方向が受信部１８側を向くことになるため、操作者が吹出し口１７の前でリモコン操作する際、設置部４１にリモコン１３を設置しているときも、設置していないときも、同じ受信部１８でリモコン１３から発信される無線信号を受信することができる（例えば、設置しているときは第２無線信号４６、設置していないときは第１無線信号４３を同じ受信部１８で受信できる。）。従って、設置部４１にリモコン１３を設置した状態で無線信号を受信できる受信部を新たに別途設ける必要がないため、本体部１４をコンパクトにすることができる。更に、受信部１８が消費する電力を低減でき、省エネとすることができる。これは、受信部１８が吹出し口１７の前側に設けられ、スリット５３が吹出し口１７の前側に設けられる構成であっても、同様の効果が得られる。
【００８２】
さらに操作者によるリモコン操作を快適にするために、第２発信部４７は一方の方向４２と正反対の方向に設けられる、又は、リモコン１３が設置部４１に設置された状態でリモコン１３の中心から第２発信部４７への方向に吹出し口１７から高圧空気が吹出す、又は、リモコン１３が設置部４１に設置された状態で、一方の方向４２と正反対の方向に吹出し口１７から高圧空気が吹出す、とすることが好ましい。
【００８３】
吹出し口１７は、リモコン１３が設置部４１に設置された状態で、第２発信部４７の１部と受信部１８の１部とを結ぶ直線を含む平面上に設けられることが好ましい。この構成によれば、スリット５３と吹出し口１７が同一平面状で重なるため、スリット５３の加工と吹出し口１７の加工が行いやすくなる。また、通常、送風機１２の動作を操作する操作者は、吹出し口１７の前側からリモコン１３により送風機１２の遠隔操作を行うが、スリット５３と吹出し口１７が同一平面状で重なるため、操作者にとって風が出てくる吹出し口１７がどこなのか、スリット５３を目印にしてさらに見つけやすくなる。特に、吹出し口１７の形状が棒状であり、細長くて目立ちにくい場合は、スリット５３によって吹出し口１７が目立つようになり、有効である。
【００８４】
ノズルユニット１５はタワー状であり、リモコン１３が設置部４１に設置された状態で、リモコン１３の水平断面の外形の中で最も大きい外形は、ノズルユニット１５の最上面の水平断面の外形と同じであり、第２発信部４７は、リモコン１３が設置部４１に設置された状態で、ノズルユニット１５の最上面の水平断面の外形よりも内側に設けられることが好ましい。この構成によれば、リモコン１３の水平断面の外形の中で最も大きい外形がノズルユニット１５の最上面の水平断面の外形よりも大きくないため、設置部４１にリモコン１３を安定して設置できる。また、デザイン性が損なわれることも少ない。また、リモコン１３の水平断面の外形の中で最も大きい外形がノズルユニット１５の最上面の水平断面の外形よりも小さくないため、設置部４１におけるリモコン１３の脱着を容易に行うことができる。受信部１８で第２無線信号４６を直接受信するためのスリット５３を設けているので、設置部４１にリモコン１３を設置した状態で、第２発信部４７から受信部１８に第２無線信号４６が直接届くように、わざわざ第２発信部４７をノズルユニット１５の最上面の水平断面の外形よりも外側にする必要がない。ここで、水平断面の外形は同じというのは完全に同一という意味ではなく、例えばノズルユニット１５の最上面の水平断面が円形であれば半径が±５％以内の違いであれば、外形は同じとするものとする。円形でなく、他の形状であっても、互いに略相似形で、ある次元の長さが例えば±５％以内の違いであれば、外形は同じという範囲に含まれるものとする。
【００８５】
リモコン１３の設置をさらに安定させるために、ノズルユニット１５は円筒形のタワー状であることが好ましい。
【００８６】
第２発信部４７は、リモコン１３の縁部近傍の下面に設けられ、設置部４１にリモコン１３が設置された状態で吹出し口１７の鉛直上方に存在することが好ましい。この構成によれば、スリット５３の深さを深くすることがないため、ノズルユニット１５表面の拭き掃除がしやすくなる等、メンテナンス性を良くすることができる。
【００８７】
また、リモコン１３が設置部４１に設置された状態で、第１発信部４４から受信部１８には直接的に第１無線信号は届かない構成となっていてもよい。
【００８８】
設置部４１には第１段差部５４が設けられ、リモコン１３の下部又は下面には第１段差部５４に嵌まる第２段差部５５が設けられていることが好ましい。第１段差部５４と第２段差部５５は、リモコン１３が設置部４１に設置された状態で、第２発信部４７から発信される第２無線信号４６が直接的に受信部１８に届くようにリモコン１３を位置決めする位置決め手段５６を構成する。位置決め手段５６があるために、所定の位置及び角度以外では、設置部４１にリモコン１３を正しく設置できなくなる。言い換えれば、所定の位置及び角度にリモコン１３を設置部４１上に設置してはじめて正しくリモコンが設置されることになる。このため、操作者がリモコン１３を設置部４１上に正しい位置で確実に設置できるようになる。また、第１段差部５４と第２段差部５５が嵌合することにより、設置部４１上でリモコン１３が回転等する動きが抑制され、安定して固定される。このため、リモコンを設置した状態で、遠隔操作するとき、リモコンが不要に回転等することなく、ボタンが押しやすく操作しやすい。更に、第１段差部５４と第２段差部５５が勘合することにより、外部から衝撃が加わった場合や、ノズルユニット１５を傾斜させた場合に設置部４１からリモコン１３が容易に脱落しにくくなり、使い勝手が良い。なお、位置決め手段５６はリモコン１３か設置部４１の一方だけにあってもよい。また、例えば、リモコン１３の下部又は下面であって、第２発信部４７の近傍に突起形状を設けて、突起形状とスリット５３が引っかかるようにして位置決め手段５６を構成してもよい。このようにすれば、スリット５３を目印にしてリモコン１３の位置合わせを容易に行うことができる。
【００８９】
設置部４１にはダクト上部空間５９の中に磁石６０が設けられ、リモコン１３には磁石６０に引き付けられる鉄などの金属６１が設けられていることが好ましい。この構成によれば、位置決め手段５６による位置合わせがさらに容易になり、設置部４１へのリモコン１３の設置もさらに安定する。
【００９０】
リモコン１３の上面において、第１発信部４４がある一方の方向４２と垂直な方向に中心線５７を引いた場合、送風機１２を遠隔操作するためのボタン４８は、リモコン１３の上面の中心部分に設けられるか、又は中心線５７よりも第１発信部４４がある側に設けられ、ボタン４８はその中心部分を除いて、中心線５７よりも第２発信部４７がある側には設けられていないことが好ましい。この構成によれば、吹出し口１７の前で操作者が設置部４１に設置されたリモコン１３を取り外して、リモコン１３を手に取ったとき、操作者の指とリモコン１３のボタン４８の位置が互いに近い状態となる。このため、操作者は設置部４１からリモコン１３を取り外して操作する際に、リモコン１３を大きく持ち替える必要がなくなり、快適にリモコン操作することができる。
【００９１】
図６は、送風機１２の本体部１４の鉛直断面図である。図６に示すように、本体部１４は床上に設置された非回転部７１と、非回転部７１上に設けられた回転部７２からなる構成であってもよい。非回転部７１は、首振り用モータ７３と、首振り用モータ７３の動力を回転部７２に伝える歯車７４と、非回転部７１上で滑らかに回転部７２を回転させるための転がり摺動部７５を備えている。
【００９２】
回転部７２は、ノズルユニット１５と物理的に固定されているため、非回転部７１上で、ノズルユニット１５と一体的に回転する。このため、ノズルユニット１５上部に設けられた設置部４１に設置されたリモコン１３の第２発信部４７と、本体部１４の回転部７２に設けられた受信部１８との位置関係は、首振り用モータ７３によって回転部７２が首振り回転しても変化しない。このため、リモコン１３が設置部４１に設置された状態で、送風機１２が首振り動作しても、第２発信部４７から受信部１８に直接的に第２無線信号４６が届く関係を維持することができる。
【００９３】
また、ノズルユニット１５が安定して首振り動作するために、回転部７２が回転する回転軸がタワー状のノズルユニット１５の水平断面の中心を通ることが好ましい。更に加えて、ノズルユニット１５が円筒形であり、リモコン１３が設置部４１に設置された状態で、リモコン１３の水平断面の外形の中で最も大きい外形が、ノズルユニット１５の最上面の水平断面の外形と同じであることが好ましい。この構成であれば、首振り動作時にリモコン１３やノズルユニット１５が更に安定する。
【００９４】
図７は、送風装置１１の制御を示すブロック図である。送風装置１１は、送風機１２内に設けられ、電源８１から電源供給される制御部８２を備えている。制御部８２は、受信部１８から受信した無線信号、又は本体操作部１９から入力された信号に基づいて、第１スイッチ８３又は第２スイッチ８４等のオン／オフを制御する。例えば第１スイッチ８３がオンすれば、図６で述べた首振り用モータ７３と歯車７４からなる首振り手段８５が動作し、送風機１２は首振り動作を行う。例えば第２スイッチがオンすれば、図２で述べた高圧空気発生手段２４が動作し、吹出し口１７から吹出される風量が調整される。また、制御部８２は、他のスイッチにより、送風機１２の電源のオン／オフや、タイマーのオン／オフなどの切り替えなども制御する。
【００９５】
図８は、送風装置１１のリモコン１３の制御を示すブロック図である。図８に示すように、リモコン１３の内部に電池５８によって電源供給された制御基板４９は、リモコン１３のボタン４８が押されることに基づいて、第１発信部４４及び／又は第２発信部４７から第１無線信号４３及び／又は第２無線信号４６を発信する。この無線信号は、例えば図７で説明した首振り手段８５が動作するための信号、又は高圧空気発生手段２４が動作するための信号、又は送風機１２の電源のオン／オフするための信号などである。
【００９６】
以上の通り、本実施の形態の送風装置１１によれば、リモコン１３を設置部４１から取り外したときに主に利用される第１無線信号４３を発信する第１発信部４４だけでなく、第１発信部４４の反対側に、リモコン１３を設置部４１に設置した状態で受信部１８に第２無線信号４６が届くための第２発信部４７を別途設けている。このため、設置部４１からリモコン１３を取り外した状態だけでなく、設置部４１にリモコン１３を取り付けた状態のままでも、リモコンで送風機の動作を操作できる。従って、操作者は設置部４１に一度取り付けたリモコン１３をわざわざ取り外すことなく、その状態のままで、リモコン１３を使って送風機１２の操作を行うことができる。このように、設置部４１に取り付けられたリモコン１３を操作する際に、リモコン１３を設置部４１から取り外すという工程を省略することができるため、操作者は、送風機１２の操作を素早く行うことができる。
【００９７】
なお、本実施の形態では、スリット５３をノズルユニット１５に設けることによって、リモコン１３が設置部４１に設置された状態で、第２発信部４７から受信部１８に無線信号が直接的に届くようにしたが、スリット５３を設けない構成であっても良い。
【００９８】
例えば、リモコン１３の水平断面の外形の中で最も小さい外形を、ノズルユニット１５の最上面の水平断面の外形よりも大きくして、リモコン１３が設置部４１に設置された状態で、ノズルユニット１５の最上面の水平断面の外形よりも外側に第２発信部４７を設けることで第２発信部４７から受信部１８に無線信号が直接的に届くようにしてもよい。
【００９９】
或いは、リモコン１３が設置部４１に設置された状態で、第２発信部４７の下部において、ノズルユニット１５がスリット状では無い形状で斜めに切り取られる形状となることで、第２発信部４７から受信部１８に無線信号が直接的に届くようにしてもよい。
【０１００】
或いは、ノズルユニットの一部の材料を赤外線や可視光などの無線信号がほとんど減衰しない透明材料とすることで第２発信部４７から受信部１８に無線信号が直接的に届くようにしてもよい。
【０１０１】
また、本実施の形態では、流体素子ノズル部３１を用いて吹出し口１７から気流３７を吹出す構成としたが、流体素子ノズル部３１による風路に替えて、その他の風路を用いてもよい。この場合は、吹出す気流３７が左右に振動しなくなる場合があるが、それ以外の作用効果がなくなるものではない。
【０１０２】
また、本実施の形態では、吹出し口１７の前側に受信部１８を設ける構成としたが、リモコン１３を設置部４１に設置した状態で、無線信号を受信できる構成であれば、受信部１８は必ずしも吹出し口１７の前側に設けなくても良い。
【産業上の利用可能性】
【０１０３】
本発明にかかる送風装置は、送風機のノズルユニットに設けられた設置部からリモコンを取り外した状態だけでなく、設置部にリモコンを取り付けた状態のままでも、リモコンで送風機の動作を操作できることを可能とするものであるので、居室内の天井や壁に設置され、直接気流による体感温度の減少や室内の空気の循環に使用される各種送風装置等として有用である。
【符号の説明】
【０１０４】
１１  送風装置
１２  送風機
１３  リモコン
１４  本体部
１５  ノズルユニット
１６  吸込み口
１７  吹出し口
１８  受信部
１９  本体操作部
２１  ダクト
２２  羽根車
２３  モータ
２４  高圧空気発生手段
３１  流体素子ノズル部
３２  流入口
３３  素子主流路
３４  循環風路
３５  内壁
３６  外壁
３７  気流
４１  設置部
４２  一方の方向
４３  第１無線信号
４５  受信部の方向
４６  第２無線信号
４７  第２発信部
４８  ボタン
４９  制御基板
５０  第１発信源
５１  第２発信源
５２  反射板
５３  スリット
５４  第１段差部
５５  第２段差部
５６  位置決め手段
５７  中心線
５８  電池
５９  ダクト上部空間
６０  磁石
６１  金属
７１  非回転部
７２  回転部
７３  首振り用モータ
７４  歯車
７５  転がり摺動部
８１  電源
８２  制御部
８３  第１スイッチ
８４  第２スイッチ
８５  首振り手段
【図１】
2014125886.tif 000003
【図２】
2014125886.tif 000004
【図３】
2014125886.tif 000005
【図４】
2014125886.tif 000006
【図５】
2014125886.tif 000007
【図６】
2014125886.tif 000008
【図７】
2014125886.tif 000009
【図８】
2014125886.tif 000010